(57)【要約】【課題】  指の運動を下顎部及び上顎部に確実に伝達でき、所望の動作を確実に実現できる指人形を提供することを目的としている。【解決手段】  下顎部と上顎部とが開閉自在に構成され、前記下顎部及び前記上顎部が互いに開放する方向に付勢された口部を有し、後頭部から差し込んだ手の指によって前記下顎部及び前記上顎部を互いに当接する方向に動作させるように構成され、前記下顎部及び前記上顎部が互いに当接したことを検知して所定の動作を行うように構成された指人形において、前記手の指先を屈曲状態で引っ掛けて指の滑りを防止する引掛部を内部に設けたことを特徴とする。【選択図】図３
2005253526.tif 000002
【特許請求の範囲】
【請求項１】
下顎部と上顎部とが開閉自在に構成され、前記下顎部及び前記上顎部が互いに開放する方向に付勢された口部を有し、後頭部から差し込んだ手の指によって前記下顎部及び前記上顎部を互いに当接する方向に動作させるように構成され、前記下顎部及び前記上顎部が互いに当接したことを検知して所定の動作を行うように構成された指人形において、前記手の指先を屈曲状態で引っ掛けて指の滑りを防止する引掛部を内部に設けたことを特徴とする指人形。
【請求項２】
前記下顎部及び前記上顎部が互いに当接した際に指の圧力によって押されて動作するスイッチが前記上顎部側に設けられ、前記引掛部は、前記上顎部側に設けられて前記スイッチに対して離接する方向に動作自在となっていると共に前記スイッチに対して離反する方向に付勢され、前記下顎部及び前記上顎部が互いに当接する際に前記指によって前記引掛部が前記スイッチに接近する方向に動作して前記スイッチが動作するようになっていることを特徴とする請求項１に記載の指人形。
【請求項３】
前記引掛部は、稜線が前記手の差し込み方向に対してほぼ直交する方向に延在する山形部から構成されていることを特徴とする請求項１又は２に記載の指人形。
【発明の詳細な説明】
【技術分野】
【０００１】
本発明は、人が指を動作させることによって口部が開閉する指人形に関するものである。
【背景技術】
【０００２】
この種の指人形として、下顎部と上顎部とが開閉自在に構成され、下顎部及び上顎部が互いに開放する方向に付勢された口部を有し、後頭部から差し込んだ手の指によって下顎部及び上顎部を互いに当接する方向に動作させるように構成され、下顎部及び上顎部が互いに当接したことを検知して所望の発声動作を行うように構成されたものが知られている（例えば、特許文献１参照）。
【特許文献１】実用新案登録第３０７７２８９号公報
【発明の開示】
【発明が解決しようとする課題】
【０００３】
しかしながら、このような指人形にあっては、後頭部から差し込んだ手が口部の動作の際に抜け易いという問題がある。すなわち、差し込んだ手の指が当たる部分がほぼ平らとなっているため、口部の動作の際に指が滑り易いという問題がある。そのため、口部の動作を指の運動に追従させることができずに指人形に所望の発声動作をさせることができない場合がある。
本発明は、かかる点に鑑みなされたものであり、指の運動を下顎部及び上顎部に確実に伝達でき、所望の動作を確実に実現できる指人形を提供することを目的としている。
【課題を解決するための手段】
【０００４】
請求項１に記載の指人形は、下顎部と上顎部とが開閉自在に構成され、前記下顎部及び前記上顎部が互いに開放する方向に付勢された口部を有し、後頭部から差し込んだ手の指によって前記下顎部及び前記上顎部を互いに当接する方向に動作させるように構成され、前記下顎部及び前記上顎部が互いに当接したことを検知して所定の動作を行うように構成された指人形において、前記手の指先を屈曲状態で引っ掛けて指の滑りを防止する引掛部を内部に設けたことを特徴とする。
【０００５】
請求項２に記載の指人形は、請求項１に記載の指人形において、前記下顎部及び前記上顎部が互いに当接した際に指の圧力によって押されて動作するスイッチが前記上顎部側に設けられ、前記引掛部は、前記上顎部側に設けられて前記スイッチに対して離接する方向に動作自在となっていると共に前記スイッチに対して離反する方向に付勢され、前記下顎部及び前記上顎部が互いに当接する際に前記指によって前記引掛部が前記スイッチに接近する方向に動作して前記スイッチが動作するようになっていることを特徴とする。
【０００６】
請求項３に記載の指人形は、請求項１又は２に記載の指人形において、前記引掛部は、稜線が前記手の差し込み方向に対してほぼ直交する方向に延在する山形部から構成されていることを特徴とする。
【発明の効果】
【０００７】
請求項１に記載の指人形によれば、引掛部によって指先が屈曲状態で引っ掛けられるので、指の滑りが確実に防止され、指の運動を下顎部及び上顎部に確実に伝達できる。
【０００８】
請求項２に記載の指人形によれば、引掛部によって指先が屈曲状態で引っ掛けられスイッチを確実に動作させることができる。
【０００９】
請求項３に記載の指人形によれば、引掛部は山形部から構成されているので、指先を簡単に屈曲状態にして引っ掛けることができる。
【発明を実施するための最良の形態】
【００１０】
（全体構造）
図１は指人形の正面図、図２は指人形の側面図である。この指人形１は両手に乗せて保持できる程度の大きさを持つ。この指人形１は、常態で下顎部と上顎部とが開く構造となっている。頭部２の後ろには差込口３が設けられ、この差込口３から手を差し込めるようになっている。そして、特に限定はされないが、差込口３から差し込んだ手の親指を下顎部側に、他の指を上顎部側に潜り込ませることができるようになっている（図３参照）。
この指人形１は、その親指と他の指とを互いに接近させる方向に動作させると下顎部と上顎部とが互いに接近する方向に動作し、その親指と他の指との力を緩めると下顎部と上顎部とが互いに離反する方向に動作する。そして、この指人形１はこのような口部の動作に伴って所定の発声動作を行う。
以下、指人形１の詳細を説明する。
【００１１】
（胴部）
胴部５には背中側に開口するポケット（図示せず）が設けられている。ポケットには図４に示すようなメカボックス６が納められている。メカボックス６には電池が収納可能となっている。また、メカボックス６の前面には、図５に示すように、録音ボタン７と、この録音ボタン７をロックするためのロックレバー８とが設けられている。一方、メカボックス６の背面には、図６に示すように、電源スイッチ１０と、モード切替えスイッチ１１とが設けられている。モード切替えスイッチ１１は録音モードと再生モードとを切り替えるためのものである。メカボックス６内にはスピーカ９（図９参照）が設けられている。
以上のように構成されたメカボックス６は胴部５のポケットから引き出すことが可能となっている。
【００１２】
（頭部）
口部には図３に示すように下板１６及び上板１７が設けられている。下板１６及び上板１７はそれぞれ下顎部及び上顎部に組み込まれている。下板１６及び上板１７は口部内に露出していてもよいが、布等によって被覆されていることが好ましい。この下板１６と上板１７は図示しないばねによって下顎部と上顎部とが開く方向に付勢されている。或いは、下板１６と上板１７とは１つの弾性板を屈曲することによって構成され、その弾性力でもって下顎部と上顎部とが開く方向に付勢されている。
上板１７にはマイク１３及びスイッチ１８が設置されている。スイッチ１８としては、下顎部及び上顎部が互いに当接する際に指の圧力によって押されて動作するスイッチであり、例えばタクトスイッチが使用されている。また、上板１７には引掛部材（引掛部）１９が設置されている。この引掛部材１９は、稜線が手の差し込み方向に対してほぼ直交する方向に延在する山形部材（山形部）から構成され、この引掛部材１９の下側にはスイッチ１８が設置されている。
図７及び図８に示すように、引掛部材１９は頭部付きロッド２０等に沿って動作自在に設けられている。すなわち、引掛部材１９は、スイッチ１８に対して離接する方向に動作自在となっている。また、引掛部材１９は、ばね２２，２２によってスイッチ１８に対して離反する方向に付勢されている。そして、下顎部及び上顎部が互いに当接する際に指によって引掛部材１９がスイッチ１８に接近する方向に動作してスイッチ１８が動作させられるようになっている。なお、図７は引掛部材を側方側から見た場合の断面図、図８は引掛部材を正面側から見た場合の断面図である。
【００１３】
（発音装置）
指人形１に組み込まれる発音装置１２は、図１０に示すように、スイッチ１８、モード切替えスイッチ１１、マイク１３、処理装置１４、記憶装置１５及びスピーカ９を含んで構成されている。記憶装置１５はＲＯＭ、ＲＡＭその他の記憶手段を備え、動作プログラムや内蔵音声データが格納されている。また、記憶装置１５にはマイク１３を通じて入力された音声データが格納されるようになっている。
この発音装置１２は、録音モードの時には、録音ボタン７を押すと外部音がマイク１３を通じて６秒間録音可能な状態となる。図１０には録音している状態が示されている。この録音した音声データは記憶装置１５に格納され、その後に、指人形１の口部を閉じさせると録音音声をスピーカ９から出力する。なお、発音装置１２は、録音ボタン７を押す毎に新しい音声を録音し、既録音声を消去する。一方、発音装置１２は、再生モードの時には、内蔵音声をスピーカ９から出力する。
【００１４】
（本発明の変形）
以上、本発明の実施形態について説明したが、本発明は、かかる実施形態に限定されるものではなく、その要旨を逸脱しない範囲で種々変形可能であることはいうまでもない。
【００１５】
例えば、上記実施形態では、外部音を録音するのにＩＣを使用したが、テープレコーダその他の録音手段を用いることができる。
【００１６】
また、上記実施形態では、外部音を録音し、その録音した音声を出力するようにしたが、音声認識機能を持たせ、外部音に対応した反応（音声動作や身体動作）を行わせるようにしてもよい。
【図面の簡単な説明】
【００１７】
【図１】実施形態に係る指人形の正面図である。
【図２】図１の指人形の側面図である。
【図３】図１の指人形の口部の操作方法を説明するための図である。
【図４】図１の指人形のメカボックスの設置状態を説明するための図である。
【図５】図１の指人形のメカボックスを正面側から見た場合の斜視図である。
【図６】図１の指人形のメカボックスを背面側から見た場合の斜視図である。
【図７】図１の指人形の引掛部材を側方側から見た場合の断面図である。
【図８】図１の指人形の引掛部材を正面側から見た場合の断面図である。
【図９】図１の指人形の発音装置の構成を示すブロック図である。
【図１０】図１の指人形の録音状態を示す図である。
【符号の説明】
【００１８】
１    指人形
２    頭部
５    胴部
６    メカボックス
１８    スイッチ
１９    引掛部材
２２    ばね
【図１】
2005253526.tif 000003
【図２】
2005253526.tif 000004
【図３】
2005253526.tif 000005
【図４】
2005253526.tif 000006
【図５】
2005253526.tif 000007
【図６】
2005253526.tif 000008
【図７】
2005253526.tif 000009
【図８】
2005253526.tif 000010
【図９】
2005253526.tif 000011
【図１０】
2005253526.tif 000012